(57)【特許請求の範囲】
【請求項１】
基板ケースの開口部から外部に露出した制御基板側コネクタと、ケーブルに連結されるハーネス側コネクタとを備え、前記制御基板側コネクタと前記ハーネス側コネクタとは、一方が複数の棒状の端子がそれぞれ立設された収容室を有し、他方が前記収容室に嵌合可能であって、前記複数の棒状の端子がそれぞれ挿入可能な複数の凹状の端子が前記複数の棒状の端子の配置に対応して形成された嵌合部を有し、嵌合接続された前記制御基板側コネクタと前記ハーネス側コネクタとを、封印シールで封印する遊技機用コネクタの封印構造であって、
前記封印シールは、
平面状に変形容易な素材からなり、
前記複数の棒状の端子がそれぞれ挿通可能な複数の穿孔部が前記複数の棒状の端子の配置に対応して穿設された一端部と、
前記複数の穿孔部に前記複数の棒状の端子がそれぞれ挿通されて前記一端部が前記収容室の底部に収容され、前記複数の棒状の端子のそれぞれが対応する前記複数の凹状の端子にそれぞれ挿入されることにより前記制御基板側コネクタと前記ハーネス側コネクタとが嵌合接続された状態で折り返されて前記ハーネス側コネクタから突出する前記ケーブルと当接する箇所に穿設された、前記ケーブルが挿通可能な開口部と、
該開口部から他端部の終端まで形成され、前記ケーブルを前記他端部の終端から前記開口部に挿通させるための切れ目と、
前記他端部に添着され、前記基板ケースに貼着可能な貼着シールとを備えている
ことを特徴とする遊技機用コネクタの封印構造。
【請求項２】
前記貼着シールは、前記封印シールの前記他端部の二面のうち、前記一端部の前記収容部の底部に当接する面とは反対側の面に添着されていることを特徴とする請求項１に記載の遊技機用コネクタの封印構造。
【請求項３】
前記封印シールの一端部は、前記収容室の底部に収容可能な形状に形成されていることを特徴とする請求項１または２に記載の遊技機用コネクタの封印構造。
【請求項４】
基板ケースの開口部から外部に露出した制御基板側コネクタと、ケーブルに連結されるハーネス側コネクタとを備え、前記制御基板側コネクタと前記ハーネス側コネクタとは、一方が複数の棒状の端子がそれぞれ立設された収容室を有し、他方が前記収容室に嵌合可能であって、前記複数の棒状の端子がそれぞれ挿入可能な複数の凹状の端子が前記複数の棒状の端子の配置に対応して形成された嵌合部を有し、嵌合接続された前記制御基板側コネクタと前記ハーネス側コネクタとを、封印シールで封印する遊技機用コネクタの封印方法であって、
前記封印シールは、平面状に変形容易な素材からなり、前記複数の棒状の端子がそれぞれ挿通可能な複数の穿孔部が前記複数の棒状の端子の配置に対応して穿設された一端部と、略中央部に前記ケーブルが挿通可能に穿設された開口部と、該開口部から他端部の終端まで形成された切れ目と、前記他端部に添着された貼着シールとを備え、
前記複数の穿孔部に前記複数の棒状の端子をそれぞれ挿通することにより前記封印シールの前記一端部を前記収容室の底部に収容し、
前記複数の棒状の端子のそれぞれを対応する前記複数の凹状の端子にそれぞれ挿入することにより前記制御基板側コネクタと前記ハーネス側コネクタとを嵌合接続し、
前記封印シールを折り返し、前記制御基板側コネクタと嵌合接続された前記ハーネス側コネクタから突出する前記ケーブルを前記切れ目を介して前記封印シールの前記開口部に挿通させ、
前記封印シールの前記他端部に添着された貼着シールを前記基板ケースに貼着させる
ことを特徴とする遊技機用コネクタの封印方法。
【請求項５】
基板ケースの開口部から外部に露出した制御基板側コネクタと、ケーブルに連結されるハーネス側コネクタとを備え、前記制御基板側コネクタと前記ハーネス側コネクタとは、一方が複数の棒状の端子がそれぞれ立設された収容室を有し、他方が前記収容室に嵌合可能であって、前記複数の棒状の端子がそれぞれ挿入可能な複数の凹状の端子が前記複数の棒状の端子の配置に対応して形成された嵌合部を有し、嵌合接続された前記制御基板側コネクタと前記ハーネス側コネクタとを封印する遊技機用コネクタの封印シールであって、
平面状に変形容易な素材からなり、
前記収容室の底部に収容可能な形状に形成され、前記複数の棒状の端子がそれぞれ挿通可能な複数の穿孔部が前記複数の棒状の端子の配列に対応して穿設された一端部と、
前記複数の穿孔部に前記複数の棒状の端子がそれぞれ挿通されて前記一端部が前記収容室の底部に収容され、前記複数の棒状の端子のそれぞれが対応する前記複数の凹状の端子にそれぞれ挿入されることにより前記制御基板側コネクタと前記ハーネス側コネクタとが嵌合接続された状態で折り返されて前記ハーネス側コネクタから突出する前記ケーブルと当接する箇所に穿設された、前記ケーブルが挿通可能な開口部と、
該開口部から他端部の終端まで形成され、前記ケーブルを前記他端部の終端から前記開口部に挿通させるための切れ目と、
前記他端部の二面のうち、前記一端部の前記収容部の底部に当接する面とは反対側の面に添着され、前記基板ケースに貼着可能な貼着シールとを備えている
ことを特徴とする遊技機用コネクタの封印シール。
【発明の詳細な説明】
【技術分野】
【０００１】
本発明は、スロットマシンやパチンコ機などの遊技機用コネクタの封印構造、遊技機用コネクタの封印方法および遊技機用コネクタの封印シールに関する。
【背景技術】
【０００２】
スロットマシンやパチンコ機などの遊技機には、遊技機の作動を制御する制御基板が設けられている。例えば、スロットマシンでは、その筐体内に、ＣＰＵ、ＲＯＭ、ＲＡＭなどのチップ部品が実装された制御基板が取り付けられ、賞球やメダルの払出制御、電動役物の開閉制御、リールの回転制御、図柄組み合わせの発生確率制御など、スロットマシンの作動を制御している。制御基板のＣＰＵ、ＲＯＭ、ＲＡＭなどのチップ部品は、偽造ＲＯＭへの差し替えなどの不正行為を防止するため、基板ケース内に収容され、万一、基板ケースが不正に開かれたとき、その痕跡が残るように特殊ネジや封印シールで封印されている。
【０００３】
制御基板の端部には、制御基板に実装されたチップ部品と役物などの入賞装置とを電気的に接続するため、プラグ状またはソケット状の端子を有する制御基板側コネクタが基板ケースから外部に露出して設けられている。この制御基板側コネクタは、ケーブルを連結したハーネス側コネクタとコンタクトするようになっている。
【０００４】
一方、遊技機の製造段階や遊技店においては、制御基板側コネクタとハーネス側コネクタとのコンタクトを外し、遊技ソフトの保守や新しい遊技ソフトの交換などの作業を行うことがある。そして、これらの作業を行った後は、再度、制御基板側コネクタとハーネス側コネクタがコンタクトされ、両コネクタが封印シールにより封印されている。
【発明の開示】
【発明が解決しようとする課題】
【０００５】
従来の封印シールは、シール用フィルムの裏面に接着剤を塗布しただけの簡単な構造のものであるため、ある種の溶剤と加熱、またカッターナイフなどで封印シールを巧妙に剥がして、賞球やメダルの払い出しがされるような変造ハーネスに交換し、封印シールを元の状態に戻すというような不正行為を許してしまうことがある。このような変造ハーネスに交換するのは、深夜など遊技機店側が気付かない間に行われ、営業時間内に店員の目を盗んで行われることもある。変造ハーネスは、スロットマシンに本来付いているハーネスと外観が同じであるため、一度、基板側コネクタに接続されると、遊技店側がこれを発見するには、スロットマシンを分解してチェックしなければならないので、煩雑な作業を必要とし、また、チェックしている間にも不正に賞球やメダルの払い出しがされ、多くの損失を被ることになる。
【０００６】
また、従来の封印シールは、単なる四角形状であるため、制御基板側コネクタまたはハーネス側コネクタが、上下面または側面において、基板ケースより突出して段差などがある場合、両コネクタを封印できないことがある。
【０００７】
さらに、従来の封印シールは、四角形状のフィルムの上下左右の少なくとも２面または全面に接着剤を塗布し、封印すべき制御基板側コネクタとハーネス側コネクタとを挟んで接着、封印しなければならず、このため接着剤を多量に必要とし、また封印作業や、遊技ソフトの保守や新しい遊技ソフトの交換などの作業を行う場合は、煩雑となりやすい。
【０００８】
本発明の課題は、変造ハーネスに交換するなどの不正行為を防止でき、また、制御基板側コネクタまたはハーネス側コネクタが基板ケースから突出して段差などがあっても対応することができ、しかも、接着剤の使用量が少なく、封印作業や、遊技ソフトの保守や新しい遊技ソフトの交換などの作業を容易に行うことができる、遊技機用コネクタの封印構造、遊技機用コネクタの封印方法および遊技機用コネクタの封印シールを得ることにある。
【課題を解決するための手段】
【０００９】
上記課題を解決するために、請求項１に記載の発明に係る遊技機用コネクタの封印構造は、基板ケースの開口部から外部に露出した制御基板側コネクタと、ケーブルに連結されるハーネス側コネクタとを備え、前記制御基板側コネクタと前記ハーネス側コネクタとは、一方が複数の棒状の端子がそれぞれ立設された収容室を有し、他方が前記収容室に嵌合可能であって、前記複数の棒状の端子がそれぞれ挿入可能な複数の凹状の端子が前記複数の棒状の端子の配置に対応して形成された嵌合部を有し、嵌合接続された前記制御基板側コネクタと前記ハーネス側コネクタとを、封印シールで封印する遊技機用コネクタの封印構造であって、前記封印シールは、平面状に変形容易な素材からなり、前記複数の棒状の端子がそれぞれ挿通可能な複数の穿孔部が前記複数の棒状の端子の配置に対応して穿設された一端部と、前記複数の穿孔部に前記複数の棒状の端子がそれぞれ挿通されて前記一端部が前記収容室の底部に収容され、前記複数の棒状の端子のそれぞれが対応する前記複数の凹状の端子にそれぞれ挿入されることにより前記制御基板側コネクタと前記ハーネス側コネクタとが嵌合接続された状態で折り返されて前記ハーネス側コネクタから突出する前記ケーブルと当接する箇所に穿設された、前記ケーブルが挿通可能な開口部と、該開口部から他端部の終端まで形成され、前記ケーブルを前記他端部の終端から前記開口部に挿通させるための切れ目と、前記他端部に添着され、前記基板ケースに貼着可能な貼着シールとを備えていることを特徴としている。
また、請求項２に記載の発明は、請求項１に記載の遊技機用コネクタの封印構造発明名装置に係り、前記貼着シールは、前記封印シールの前記他端部の二面のうち、前記一端部の前記収容部の底部に当接する面とは反対側の面に添着されていることを特徴としている。
また、請求項３に記載の発明は、請求項１または２に記載の遊技機用コネクタの封印構造に係り、前記封印シールの一端部は、前記収容室の底部に収容可能な形状に形成されていることを特徴としている。
【００１０】
また、請求項４に記載の発明に係る遊技機用コネクタの封印方法は、基板ケースの開口部から外部に露出した制御基板側コネクタと、ケーブルに連結されるハーネス側コネクタとを備え、前記制御基板側コネクタと前記ハーネス側コネクタとは、一方が複数の棒状の端子がそれぞれ立設された収容室を有し、他方が前記収容室に嵌合可能であって、前記複数の棒状の端子がそれぞれ挿入可能な複数の凹状の端子が前記複数の棒状の端子の配置に対応して形成された嵌合部を有し、嵌合接続された前記制御基板側コネクタと前記ハーネス側コネクタとを、封印シールで封印する遊技機用コネクタの封印方法であって、前記封印シールは、平面状に変形容易な素材からなり、前記複数の棒状の端子がそれぞれ挿通可能な複数の穿孔部が前記複数の棒状の端子の配置に対応して穿設された一端部と、略中央部に前記ケーブルが挿通可能に穿設された開口部と、該開口部から他端部の終端まで形成された切れ目と、前記他端部に添着された貼着シールとを備え、前記複数の穿孔部に前記複数の棒状の端子をそれぞれ挿通することにより前記封印シールの前記一端部を前記収容室の底部に収容し、前記複数の棒状の端子のそれぞれを対応する前記複数の凹状の端子にそれぞれ挿入することにより前記制御基板側コネクタと前記ハーネス側コネクタとを嵌合接続し、前記封印シールを折り返し、前記制御基板側コネクタと嵌合接続された前記ハーネス側コネクタから突出する前記ケーブルを前記切れ目を介して前記封印シールの前記開口部に挿通させ、前記封印シールの前記他端部に添着された貼着シールを前記基板ケースに貼着させることを特徴としている。
【００１１】
また、請求項５に記載の発明に係る遊技機用コネクタの封印シールは、基板ケースの開口部から外部に露出した制御基板側コネクタと、ケーブルに連結されるハーネス側コネクタとを備え、前記制御基板側コネクタと前記ハーネス側コネクタとは、一方が複数の棒状の端子がそれぞれ立設された収容室を有し、他方が前記収容室に嵌合可能であって、前記複数の棒状の端子がそれぞれ挿入可能な複数の凹状の端子が前記複数の棒状の端子の配置に対応して形成された嵌合部を有し、嵌合接続された前記制御基板側コネクタと前記ハーネス側コネクタとを封印する遊技機用コネクタの封印シールであって、平面状に変形容易な素材からなり、前記収容室の底部に収容可能な形状に形成され、前記複数の棒状の端子がそれぞれ挿通可能な複数の穿孔部が前記複数の棒状の端子の配列に対応して穿設された一端部と、前記複数の穿孔部に前記複数の棒状の端子がそれぞれ挿通されて前記一端部が前記収容室の底部に収容され、前記複数の棒状の端子のそれぞれが対応する前記複数の凹状の端子にそれぞれ挿入されることにより前記制御基板側コネクタと前記ハーネス側コネクタとが嵌合接続された状態で折り返されて前記ハーネス側コネクタから突出する前記ケーブルと当接する箇所に穿設された、前記ケーブルが挿通可能な開口部と、該開口部から他端部の終端まで形成され、前記ケーブルを前記他端部の終端から前記開口部に挿通させるための切れ目と、前記他端部の二面のうち、前記一端部の前記収容部の底部に当接する面とは反対側の面に添着され、前記基板ケースに貼着可能な貼着シールとを備えていることを特徴としている。
【発明の効果】
【００１２】
本発明によれば、変造ハーネスに交換するなどの不正行為を防止でき、また、制御基板側コネクタまたはハーネス側コネクタが基板ケースから突出して段差などがあっても対応することができ、しかも、接着剤の使用量が少なく、封印作業や、遊技ソフトの保守や新しい遊技ソフトの交換などの作業を容易に行うことができる。
【発明を実施するための最良の形態】
【００１３】
以下、本発明をスロットマシンに適用した例について、図面に基づき詳細に説明する。
図１は、スロットマシンＳＭの一例の正面図である。図１に示すスロットマシンＳＭは、図柄表示を行うための表示窓ＦＤＰ、第１〜第３リールＲ１、Ｒ２、Ｒ３、メダル投入口ＭＤ、スタートレバーＳＴＬ、停止ボタンＳＴＰ１〜ＳＴＰ３、メダル払出口ＭＥＸ、払い出されるメダルを受容する受け皿ＴＵなどが設けられている。
【００１４】
図２は、スロットマシンＳＭの一例の、筐体の裏側を開放した状態の正面図である。図２で、（ａ）に示す筐体ＢＸＲ内には、その上部に主制御基板アッセンブリＭＢＡが、中央部には第１〜第３リールＲ１〜Ｒ３が、また下部にはメダルホッパーＨＰＵや電源基板ＰＷＵ、遊技メダル補助収納庫ＭＳＴなどが配設されている。図２で、（ｂ）に示す筐体ＢＸＬ内には、その上部に演出画面、ランプおよび効果音などの演出音の出力を制御する副基板アッセンブリＳＢＡが、中央部には、第１〜第３リールＲ１〜Ｒ３と対向する位置にこれらのリールＲ１〜Ｒ３を外部から透視できるように開口した表示部ＦＷが、下部には、投入されたメダルをメダルホッパーＨＰＵに導入する通路Ｇ１、払い出されるメダルを図１に示すメダル払出口ＭＥＸに導くメダル通路Ｇ２などが配設されている。
【００１５】
主制御基板アッセンブリＭＢＡのうち制御基板１０の主要部は、ケース本体２１とケース蓋２２からなる基板ケース２０内に収納されている。制御基板１０には、確率演算ＣＰＵやＲＯＭ、ＲＡＭなどのチップ部品が実装され、払出し機構による賞球の払出しや、役物の開閉制御、図柄組み合わせの発生確率制御などを始めとしてスロットマシン全体の作動を統括的に制御している。また、制御基板１０への不正行為を防止するため、ケース本体２１とケース蓋２２は特殊ネジ５０でかしめられ、封印シール（図示せず）で封印されている。基板ケース２０から外部に露出した制御基板１０の端部には、制御基板側コネクタ（３２）が取り付けられ、この制御基板側コネクタ（３２）は、役物などの入賞装置などのセンサほかと制御基板と電気的に接続しているハーネス側コネクタ（３１）とコンタクト３０し、さらに封印シール４０で封印されている。
【００１６】
図３は、図２の二点鎖線の円で囲んだ、コンタクト３０近傍を抜き出した模式図であり、（ａ）は制御基板側コネクタ３１とその近傍の斜視図、（ｂ）はハーネス側コネクタ３２の斜視図、（ｃ）は台紙４１と貼着シール４２を備える封印シール４０の斜視図、（ｄ）は、制御基板側コネクタ３１とハーネス側コネクタ３２をコンタクトし、封印シール４０を装着しようとしている斜視図、（ｅ）は、貼着シール４２を基板ケース２０に貼着、封印している斜視図である。
【００１７】
図３（ａ）に示す制御基板側コネクタ３１は、上部が基板ケース２０の開口部２０ａから外部に露出し、内部にプラグ状の複数の端子３１ａを有している。プラグ状の複数の端子３１ａは、制御基板に実装された確率演算ＣＰＵやＲＯＭ、ＲＡＭなどのチップ部品（何れも図示せず）に接続されている。図３（ｂ）に示すハーネス側コネクタ３２は、制御基板側コネクタ３１のプラグ状の複数の端子３１ａとコンタクトできるソケット状の複数の端子３２ａと、これに接続するケーブル３２ｂを有している。ハーネス側コネクタ３２のケーブル３２ｂは、役物などの入賞装置のセンサと接続されている。図３（ｃ）に示す封印シール４０は、（ａ）薄いプラスチック材からなり、一方（図では左方）の端部４１−１に、制御基板側コネクタ３１のプラグ状の複数の端子３１ａの位置に合わせて端子３１ａが挿通し得る複数の穿孔部４１ｃと、略中間４１−２に、ハーネス側コネクタ３２のケーブル３２ｂが挿通し得る開口部４１ａと、この開口部４１ａから他方の端部の終端までの切れ目とを有する台紙と、（ｂ）台紙４１の他方（図では右方）の端部４１−３の封印面に添着される貼着シール４２を備えている。貼着シール４２には、剥離可能なフィルム４２ａとしてアクリル系の封印箔が転写され、基板ケース２０との貼着力が約３０００ｇ／２５ｍｍで、貼着シール４２本体との貼着力の約９０ｇ／２５ｍｍより大きくされている。剥離可能なフィルム４２ａには、「開封」の文字４２ｂが抜かれている。また、貼着シール４２は、従来の封印シールのように、きれいに剥がして、再び貼着することは不可能になっている。
【００１８】
次に、コネクタへの封印手順を、図３（ｄ）（ｅ）により説明する。先ず、図３（ｄ）に示すように、制御基板側コネクタ３１のプラグ状の複数の端子３１ａに、封印シール４０の台紙４１の端部（４１−１）の複数の穿孔部４１ｃを挿通すると共に、一方の端部４１−１を制御基板側コネクタ３１の底部に納め、さらに他方の端部４１−３を制御基板側コネクタ３１の外側に引き出す。次に、この状態でハーネス側コネクタ３２のソケット状の端子３２ａを、制御基板側コネクタ３１のプラグ状の複数の端子３１ａに挿入（矢印で示す）し、両コネクタ３１、３２をコンタクトさせる。次に、封印シール４０を直角以上に折り返すと共に、切れ目４１ｂを介して、ハーネス側コネクタ３２のケーブル３２ｂを開口部４１ａまで挿通させる。さらに、封印シール４０を直角以上に折り返し、貼着シール４２を基板ケース２０の側面に貼着（矢印で示す）させる。以上の手順により、図３（ｅ）に示すように、コンタクト３０された両コネクタ３１、３２は、台紙４１と貼着シール４２を備える封印シール４０により封印される。そして、制御基板側コネクタ３１のプラグ状の端子３１ａとハーネス側コネクタ３２のソケット状の端子３２ａのコンタクト３０するところまで、封印シール４０で封印されているので、不当に賞球やメダルの払い出しがされる変造ハーネスに交換するような不正行為を防止することができる。すなわち、変造ハーネスに交換しようとすると、封印シール４０が破れてしまい、元に戻すことができなくなり、不正行為の発見がしやすくなる。また、万一、貼着シール４２が剥がされた場合、剥離可能なフィルム４２ａが基板ケース２０に残って「開封」の文字４２ｂが出るので、さらに不正行為の発見がしやすくなる。一方、遊技ソフトの保守や新しい遊技ソフトの交換などの作業は、保守や交換を行った後、新た正規の封印シールで容易に封印を行うことができる。なお、剥離可能なフィルム４２ａは、文字４２ｂが抜かれたものだけでなく、不正防止の確実性を向上させることができれば、何かの文字、彩色または模様であっても構わない。
【００１９】
また、台紙４１は、薄いプラスチック材としているので容易に変形し、また台紙４１の両側は平面状に変形するので、ハーネス側コネクタ３２の上面３２ｃが基板ケース２０から突出して段差などがあっても、確実に封印することができる。また、制御基板側コネクタ３１の端子３１ａに、封印シール４０の台紙４１の端部を挿通して固定し、この状態でハーネス側コネクタ３２を装着後、台紙４１を折り返してその他端部４１−３を基板ケース２０の側面に封着するので、従来よりも接着剤の使用量が少なく、封印作業や、遊技ソフトの保守や新しい遊技ソフトの交換などの作業を容易に行うことができる。
【産業上の利用可能性】
【００２０】
実施の形態においては、スロットマシンについて説明したが、本発明はこれに限定されず、パチンコ機ほかの遊技機にも、本発明の主旨の範囲で適用可能である。
【図面の簡単な説明】
【００２１】
【図１】スロットマシンＳＭの一例の正面図である。
【図２】スロットマシンＳＭの一例の、裏側を開放した状態の正面図である。
【図３】図２の二点鎖線の円で囲んだ、コンタクト３０近傍を抜き出した模式図であり、（ａ）は制御基板側コネクタ３１とその近傍の斜視図、（ｂ）はハーネス側コネクタ３２の斜視図、（ｃ）は台紙４１と貼着シール４２を備える封印シール４０の斜視図、（ｄ）は、制御基板側コネクタ３１とハーネス側コネクタ３２をコンタクトし、封印シール４０を装着しようとしている斜視図、（ｅ）は、貼着シール４２を基板ケース２０に貼着、封印している斜視図である。
【符号の説明】
【００２２】
１０：制御基板
１０ａ：制御基板の端部
２０：基板ケース
２０ａ：開口部
２１：ケース本体
２２：ケース蓋
３１：制御基板側コネクタ
３１ａ：プラグ状の複数の端子
３２：ハーネス側コネクタ
３２ａ：ソケット状の複数の端子
３２ｂ：ケーブル
３２ｃ：上面
４０：封印シール
４１：台紙
４１−１：一方の端部
４１−２：略中間
４１−３：他方の端部
４１ａ：開口部
４１ｂ：切れ目
４１ｃ：複数の穿孔部
４１ｄ：終端
４２：貼着シール
４２ａ：剥離可能なフィルム
４２ｂ：「開封」の文字
５０：特殊ネジ
ＢＸＬ：筐体
ＢＸＲ：筐体
ＦＤＰ：図柄表示を行うための表示窓
ＦＷ：開口した表示部
Ｇ１：通路
Ｇ２：メダル通路
ＨＰＵ：メダルホッパー
ＭＢＡ：主制御基板アッセンブリ
ＭＤ：メダル投入口
ＭＥＸ：メダル払出口
ＭＳＴ：遊技メダル補助収納庫
ＰＷＵ：電源基板
Ｒ１〜Ｒ３：第１〜第３リール
ＳＢＡ：副基板アッセンブリ
ＳＭ：スロットマシン
ＳＴＬ：スタートレバー
ＳＴＰ１〜ＳＴＰ３：停止ボタン
ＴＵ：払い出されるメダルを受容する受け皿
【図１】
0004083731.tif 000002
【図２】
0004083731.tif 000003
【図３】
0004083731.tif 000004